(57)【要約】【課題】  計器端子に確実かつ強固に取り付けることができ、長時間当該端子に取り付けた状態での計測に適する測定クリップを提供する。【解決手段】  本発明の測定クリップ(1)は、第１クリップ部材(10)の先端部に計器端子の電線挿入孔に挿入される突片(16)が突出して設けられ、第２クリップ部材(12)の先端部には掛止片(18)および前記測定電線挿入穴に挿入された測定電線の芯線と導通可能な導電性の接触片(20)が設けられており、使用に際し、掛止片(18)により当該計器端子下部の絶縁隔壁に掛け止められた状態で、電線挿入孔内にその開口方向に平行に挿入された突片（16）と第２クリップ部材(12)の先端部(12a)との間で計器端子下部は挟持され、接触片（20）は計器端子全面の端子ネジ頭部に付勢状態で接触するようにされたものである。【選択図】  図１
2013080588.tif 000002
【特許請求の範囲】
【請求項１】
第１クリップ部材と、これと対向して共通の軸によって該第１クリップ部材に揺動可能に連結され、基端部に測定電線挿入穴を有する第２クリップ部材と、前記第１クリップ部材の先端部と前記第２クリップ部材の先端部とを互いに接近させる方向に付勢する付勢手段とを備える計器端子用測定クリップであって、
前記第１クリップ部材には、その先端部に突片が突出して設けられ、
前記第２クリップ部材には、その先端部に掛止片および前記測定電線挿入穴に挿入された測定電線の芯線と導通可能な導電性の接触片が設けられており、
使用に際し、前記突片は前記電線に沿わせて前記電線挿入孔内にその開口方向に平行に挿入され、前記掛止片は当該計器端子下部の絶縁隔壁に掛け止められた状態で、前記突片と前記第２クリップ部材とにより前記計器端子の下部は挟持され、前記接触片は前記計器端子全面の端子ネジ頭部に付勢状態で接触するように構成されたことを特徴とする計器端子用測定クリップ。
【請求項２】
前記突片は、前記第1クリップ部材の先端部から進退自在に設けられてなる請求項１に記載の計器端子用測定クリップ。
【請求項３】
前記接触片は、それ自体外力によりたわみように形成され、前記端子ネジ頭部にそのたわみに起因する付勢力によって押し付けられるものである請求項１又は２に記載の計器端子用測定クリップ。
【請求項４】
前記第２クリップ部材は、その基端側にこれと前記電線挿入孔に挿入される電線とを固定するための締結具を備えてなる請求項１〜３のいずれか１項に記載の計器端子用測定クリップ。
【発明の詳細な説明】
【技術分野】
【０００１】
本発明は、計器端子に長時間接続した状態での計測に適した計器端子用測定クリップに関する。
【背景技術】
【０００２】
計器端子台における複数の端子のそれぞれにいわゆるワニ口クリップと呼ばれる測定クリップを接続し、これらを介して測定器にて当該端子間に現われる電圧値などを長時間測定しなければならない場合がある。その具体例としては、一般家庭などの低圧電力需要家に供給される電力品質の評価の１つである電圧変動を確認する場合が挙げられる。この場合、通常の動作状態で１週間程度の計測期間を設け、各低圧電力需要家の電圧規制点の近傍における取引用計量器の所定の２つの端子にそれぞれ前記計測期間測定クリップ（ワニ口クリップ）を取り付けた状態とし、当該端子間に現れる電圧を継続して計測することになる。
【０００３】
図５は、そのような従来の測定クリップを取引用計量器（電力量計）に取り付けた状態を示しており、（ａ）は正面図、（ｂ）は側面図である。この図に示すように、通常、計器の端子台前面における各相の端子ネジの頭部はその周囲を絶縁隔壁で囲まれ、端子台前面より奥まった位置にあるので、測定クリップを取り付けようとする端子ネジの頭部に取り付ける場合、測定クリップを斜め下方から当該頭部に取り付ける必要があった。
【先行技術文献】
【特許文献】
【０００４】
【特許文献１】特開２００５−２９４０７１号公報
【特許文献１】特開２０１１−９０８８２号公報
【発明の概要】
【発明が解決しようとする課題】
【０００５】
しかしながら、取引用計量器の端子に測定用クリップを前記のように取り付けたのでは、測定用クリップ自体の把持力が不十分であり、外力等の要因により影響を受け易く安定して取り付けることができないので、接触不良により正確な測定が困難になるだけでなく、測定できないといった事態も生じ得る。また、低圧電力需要家の電圧変動をみる場合、取引用計量器は通常、計器箱内に収納されているので、測定期間中、当該計器箱の蓋を閉めなければならないが、そうすると、蓋の閉じようとする力などが測定クリップに接続された測定リード線に加わり、計量器の端子から測定クリップが外れる危険性が高い。また、計量器端子台の端子間は絶縁隔壁があるとしても狭隘であるため、端子から測定クリップが外れ、あるいは外れそうな状態が仮に放置されると、短絡事故などの発生の恐れがある。
【０００６】
そこで、本発明は、前記課題を解決すべく、計器端子に確実かつ強固に取り付けることができ、長時間当該端子に取り付けた状態での計測に適する測定クリップを提供することを目的とする。
【課題を解決するための手段】
【０００７】
前記目的は、本発明によれば、第１クリップ部材と、これと対向して共通の軸によって該第１クリップ部材に揺動可能に連結され、基端部に測定電線挿入穴を有する第２クリップ部材と、前記第１クリップ部材の先端部と前記第２クリップ部材の先端部とを互いに接近させる方向に付勢する付勢手段とを備える計器端子用測定クリップであって、前記第１クリップ部材には、その先端部に計器端子の電線挿入孔に挿入される突片が突出して設けられ、前記第２クリップ部材には、その先端部に鈎状に形成された掛止片および前記測定電線挿入穴に挿入された測定電線の芯線と導通可能な導電性の接触片が設けられており、使用に際し、前記突片は前記電線に沿わせて前記電線挿入孔内にその開口方向に平行に挿入され、前記掛止片は当該計器端子下部の絶縁隔壁に掛け止められた状態で、前記突片と前記第２クリップ部材とにより前記計器端子の下部は挟持され、前記接触片は前記計器端子全面の端子ネジ頭部に付勢状態で接触するように構成されたことを特徴とする計器端子用測定クリップによって達成される。
【０００８】
前記第１クリップ部材の突片は、前記第1クリップ部材の先端部から進退自在に設けられ、その突出長さが変化するようにしてもよい。また、前記接触片は、それ自体のたわみにより前記端子ネジ頭部に押し付けられるように形成することができる。
【発明の効果】
【０００９】
本発明の測定クリップは、これを計器端子部に接続された電線に沿わせ、計器端子部下面の電線挿入孔に挿入した突片と第２クリップ部材とで当該端子部の下部をはさみ込み、さらに掛止片を絶縁隔壁に掛止して確実に固定できるようにしたので、前記背景技術よりも確実に端子に測定クリップを取りつけた状態にして長時間の計測を行うことができる。
【００１０】
また、計器が計器箱に収納されている場合でも、本発明の測定クリップは端子部に接続される電線に沿って配置して前記のように当該端子部に確実に取り付けることができ、さらに本発明の測定クリップ自体を当該電線の被覆周面に固定することもできるので、計器箱の蓋の開閉によって何ら影響を受けず、測定クリップの脱落も生じずに、長時間の計測を行うことができる。
【図面の簡単な説明】
【００１１】
【図１】本発明の測定クリップの一実施形態を示す斜視図である。
【図２】図１に示す実施形態を説明するための正面図、背面図、平面図及び側面図である。
【図３】図１に示す実施形態の断面側面図である。
【図４】図１に示す実施形態の取引用計量器への取付状態を示す図である。
【図５】従来の測定クリップ及びその取付状態を示す図である。
【発明を実施するための形態】
【００１２】
以下、添付図面を参照して、本発明の実施形態について詳細に説明する。なお、本発明は、以下の実施形態に限定されない。図１は、本発明の測定クリップの一実施形態を示す斜視図である。図２は、図１に示した実施形態をさらに説明するための図であり、（ａ）は平面図、（ｂ）は正面図、（ｃ）は側面図、（ｄ）は背面図である。また、図３は、図１に示した実施形態の断面側面図を示している。
【００１３】
これらの図に示すように、本実施形態の測定クリップ１は、第１クリップ部材１０と、これと対向して配置される第２クリップ部材１２と、これら各クリップ部材１０、１２の先端部１０ａ、１２ａをそれぞれ互いに接近する方向に付勢する付勢手段１５とを備える。これら２つのクリップ部材１０、１２の中間において共通の軸１４をそれぞれ軸支しており、当該軸１４によって第２クリップ部材１２の先端部が第１クリップ部材１０の先端部に対して揺動可能とされている。
【００１４】
第１クリップ部材１０は、先端部１０ａが略矩形の平面形状の平板状に、また基端部１０ｂがその長さ方向に直交する断面の形状が略半楕円形で内部が中空の筒状に形成されている。基端部１０ｂの基端側の端面には測定用電線Ｗ１を挿入可能な電線挿入口１０ｃ（図３参照）が設けられ、その内部空間には先端部１０ａに向けて当該電線Ｗ1の把持部３３及び電線Ｗ１の芯線Ｗ１１と接続される接続金具２１が順次配置されている。把持部３３及び接続金具２１は、従来公知のものが使用でき、例えばいずれも電線Ｗ１やその芯線Ｗ１１を挟んだ状態でその外周に対して対向する圧縮力を加えることで、これらを把持固定できるものなどが好適に使用できる。
【００１５】
また、基端部１０ｂの先端側は、外周面の一部が開放されており、その開放部分の両側縁からは、軸１４を支持する軸支部が突設されている。また、基端部１０ｂの長さ方向中央の上面の湾曲面には、長さ方向に所定の間隔だけ離して締結具ガイド２２、２２が立設されている。図１及び図２では、この締結具ガイド２２、２２を基端部１０ｂの湾曲面から垂直に立設され、その上端面が基端部１０ｂの底面と略平行な板状体として図示するが、締結具ガイド２２，２２は第２クリップ部材１２の揺動に影響がない程度に当該湾曲面から突出していれば、このような形状に限定されず、任意の形状をとり得る。また、２つの締結具ガイド２２，２２はそれぞれ同形同サイズである必要はなく、互いに異なる形状であってもよい。
【００１６】
また、基端部１０ｂの両端寄りの下面にはそれぞれ、その幅方向に平行に電線ガイド２４、２５が形成されている。この電線ガイド２４，２５の図に向かって下側の面は、計器端子に接続される電線（図４、符号Ｗ２参照）に沿わせる際に当該電線Ｗ２の側面に極力密着するように湾曲形成されている。
【００１７】
また、基端部１０ｂの先端部の端面には、細長帯状で先端に向けて連続的に幅狭となる先端部分を有する突片１６が突設されている。この突片１６は、その基端部１０ｂからの突出長さが変化しないように固定してもよく、当該端面を通して内外に進退自在に移動可能に構成してもよい。なお、突片１６は、前記の形状に限定されず、端子の電線挿入孔とそこに挿入される電線との間の隙間の断面形状などを考慮して、例えば全長に亘り同一幅の幅狭帯状体などに形成することもできる。
【００１８】
図３は、後者の突片１６を可動式とした一例を示している。この図に示すように、突片１６はその基端側の端部が基端部１０ｂ内に達し、さらに当該帯状の部分から垂直に折曲されて略Ｌ字状の部分が形成されている。この部分の先端には、一端が、基端部１０ｂの先端側の端面内部に取り付られた付勢手段としてのバネ３１の他端が取り付けられている。このバネ３１により、突片１６はその突出する方向に付勢された状態でその突出長さが可変とされている。また、突片１６の中間には、これに垂直な方向に突出する突起３０が設けられている。この突起３０は、先端部１０ａの下面に設けられた開口１０ｄより外部に突出し、突片１６の突出距離を開口１０ｄの長さ分だけに規制している。
【００１９】
第２クリップ部材１２は、図１〜図３に示すように、いずれも中空の先端部１２ａ及び基端部１２ｂを備え、これら両部を互いの長さ方向一端にて所定の角度で合体したくの字状を呈している。先端部１２ａ及び基端部１２ｂは、いずれも長さ方向に直交する方向の断面が略矩形状をなし、それぞれ先端側及び基端側に向けて連続的にサイズが縮小するように形成されている。また、先端部１２ａと基端部１２ｂとの合体部分には、軸１４を挿通してこれを支持可能な軸支部１２ｄが設けられている。基端部１２ｂの外面には、従来公知の滑り止め加工が施されている。
【００２０】
第２クリップ部材１２の先端部１２ａの先端面及び先端寄りには、該先端部１２ａの幅方向略中央領域に、その長さ方向に直交する方向にスリット状の貫通穴１３ａ、１３ｂがそれぞれ穿設されている。スリット状の貫通穴１３ａからは、導電性の接続片２０が突出しており、貫通穴１３ｂからは、掛止片１８が突出して設けられている。
【００２１】
掛止片１８は、細長の帯状体で構成され、その一端は先端部１２ａの内部における軸支部１２ｄの近傍であって、第１クリップ部材１０側の壁面に当接配置され、そこから先端に向けて当該壁面と接した状態で延びている。そして、貫通孔１３ｂの位置で折曲されて該貫通孔１３ｂを通して外部にかつ前記壁面に略垂直に直線状に突出し、その先端寄りで再び軸支部１２ｄ側に折曲されて鉤状に形成されている（図２及び図３、符号１８ａ参照）。なお、図１〜図３に示す本実施形態では、掛止片１８を鉤状に形成するが、必ずしも折曲により鉤状に形成する必要はなく、直線状のままであってもよい。
【００２２】
掛止片１８は、取引用計量器の端子部に本発明の測定クリップ１を取り付けた際に通常予測される外力がこれに加わった場合でも、破断しない程度の機械的強度を有していれば、その材質については特に制限されず、例えば、金属、硬質プラスチックなどの素材で形成することができる。また、掛止片１８の材質は、導電性であっても不導電性であってもよい。
【００２３】
一方、接続片２０もまた細長の帯状体で構成され、その一端が第１クリップ部材１０の基端部１０ｂ内部にある接続金具２１に接続され、そこから軸支部１２ｄに延びている。そして、接続片２０は、軸支部１２ｄに沿って湾曲加工されてその上側を通り、掛止片１８の一端に接するように配置されている。図３に示すように、この位置で、掛止片１８と接触片２０とは、固定具１１と第１クリップ部材１０側の壁面との間に挟まれて固定されている。接触片２０は、さらに当該掛止片１８に沿って延び、貫通孔１３ａを通して外部に突出している。この突出部分は、第１クリップ部材１０側に僅かに湾曲した状態に形成されている。接触片２０は、その先端２０ａに上向きの力が加わった場合、第２クリップ部材１２の先端部１２ａ内にて固定具１１より先端側の部分が板ばねとして作用し、当該力に抗する方向に付勢力が働くように構成されている。
【００２４】
接触片２０は、弾性を示す帯状の導電性材料で形成され、前記掛止片１８と同様に、通常予測される外力を受けた場合でも破断しない程度の機械的強度を備えているのが好ましい。このような材質としては、例えば銅、アルミニウム、鉄などやこれらの合金などの種々の導電性金属が好適に使用できる。
【００２５】
本実施形態における付勢手段１５はねじりコイルばね１５であり、これが軸１４に嵌装され、その両端部分がそれぞれ第１クリップ部材１０の基端部１０ｂ及び第２クリップ部材１２の基端部１２ｂ内に延びている。２つのクリップ部材１０、１２を摘んで第２クリップ部材１０の先端部１２ａを第１クリップ部材１０の先端部１０ａに対して揺動させることで、ねじりコイルばね１５により２つのクリップ部材１０、１２の先端部１０ａ、１２ａは互いに接近する方向の付勢力を受けるように構成されている。
【００２６】
次に、図４に基づいて本発明の測定クリップの使用方法について説明する。図４は、図１に示した実施形態の取引用計量器（電力量計）の端子部への取り付け状態を示す図である。言うまでもないが、この端子部Ｔにはすでに電線Ｗ２が接続され、供給電力量を計量しているものとする。なお、便宜上、図４では、取引用計量器本体Mは、前記した図５のそれと同じものであるため、図示を省略している。
【００２７】
本発明の測定クリップ１を使用するには、まず電線Ｗ２に沿って測定クリップ１を端子部Tの取り付けようとする端子に下側から近づけ、第１クリップ部材１０の先端にある突片１６を電線挿入口に挿入する。それとともに、第２クリップ部材１２の先端部１２ａを端子部Ｔ下部にある絶縁隔壁に当接し、突片１６と第２クリップ部材１２とで、端子部Tの下側を挟み込む。その際に、第２クリップ部材１２の掛止片１８を端子部Ｔ下部にある絶縁隔壁に掛け止め、本発明の測定クリップ１が容易に脱落しないようにする。この操作により、第２クリップ部材１２先端の接触片２０の先端が端子ネジＴ１１またはＴ１２の頭部に当接して変形し、押し付け方向に付勢力が働いた状態で接触片２０の先端をこれらの端子ネジのいずれかに確実に接触させることができる。仮に、接触片２０の先端がうまくこれらの端子ネジＴ１１、Ｔ１２の頭部を押し付ける状態にならない場合には、この接触片２０を適宜変形させて端子ネジＴ１１またはＴ１２の頭部を押し付けるようにすればよい。取り付けが必要な他の端子にも同様にして本実施形態の測定クリップを取り付けることで、これらの端子に現れる電圧などの信号の計測が可能となる。
【００２８】
本実施形態においては、さらに測定クリップを端子部に長時間取り付け、計測を確実に実施するために、締結具３２を用いて電線Ｗ２の側面に取り付けることができる。そのために、本実施形態の測定クリップ１は、前記したように締結具ガイド２２および電線ガイド２４、２５を備えている。電線Ｗ２の側面に電線ガイド２４、２５の湾曲面を押し当てて、本実施形態の測定クリップ１を当該電線Ｗ２と平行に配置し、その状態で当該電線Ｗ２と第２クリップ部材１２とを締結具３２を巻回して固定する。その際、第２クリップ部材１２において、締結具３２を基端部１２ｂ上面に設けられた２か所の締結具ガイド２２、２２の間を通すことで、締結具３２がずれて第２クリップ部材１２の基端部１２ｂから外れ落ちるのを防止できる。
【００２９】
以上説明したように、本発明の測定クリップは、これを計器端子部に接続された電線に沿わせ、計器端子部下面の電線挿入孔に挿入した突片と第２クリップ部材とで当該端子部の下部をはさみ込み、さらに掛止片を絶縁隔壁に掛止して確実に固定できるようにしたので、測定クリップを計器端子部の端子ネジに斜めに取り付ける従来例よりも確実に端子部に測定クリップを固定して計測を行うことができる。
【００３０】
また、計器が計器箱に収納されている場合、長期間計測するために、当該計器箱の蓋を閉める必要があるが、これによって従来は測定クリップが脱落する可能性が高かった。しかし、本発明によれば、端子部に接続される電線に沿って配置でき、さらに当該電線の側面に固定できるようにしているので、計器箱の蓋の開閉によって何ら影響を受けることがなく、結果として測定クリップの脱落が生じない。
【符号の説明】
【００３１】
１  測定クリップ
１０  第１クリップ部材
１０ａ  先端部
１０ｂ  基端部
１２  第２クリップ部材
１２ａ  先端部
１２ｂ  基端部
１２ｄ  軸支部
１４  軸
１５  付勢手段（ねじりコイルばね）
１６  突片
１８  掛止片
２０  接触片
２２  締結具ガイド
２４、２５  電線ガイド
３０  突起
３１  付勢手段
３２  締結具
Ｗ１  測定電線
Ｗ２  電線
【図１】
2013080588.tif 000003
【図２】
2013080588.tif 000004
【図３】
2013080588.tif 000005
【図４】
2013080588.tif 000006
【図５】
2013080588.tif 000007